(57)【要約】【課題】自動で車両の車線変更を行わせる場合であっても、ドライバによる安全確認の実施を促すことができる運転支援装置を提供する。【解決手段】車両のドライバの状態を検出するのに用いるＤＳＭの情報をもとに、ドライバが車線変更時における安全確認動作を実施したか否か判定する動作判定部１０３と、車線変更部１０８による自動での車線変更を許可する許可部１０６とを備え、許可部１０６は、動作判定部１０３でドライバが車線変更時における安全確認動作を実施していないと判定している場合には、車線変更部１０８による自動での車線変更を許可しない。【選択図】図２
2020033013.tif 000002
【特許請求の範囲】
【請求項１】
車両で用いられ、自動で前記車両の車線変更を行わせる車線変更部（１０８）を備える運転支援装置であって、
前記車両のドライバの状態を検出するのに用いるセンサの情報をもとに、前記ドライバが車線変更時における安全確認動作を実施したか否か判定する動作判定部（１０３）と、
前記車線変更部による自動での車線変更を許可する許可部（１０６）とを備え、
前記許可部は、前記動作判定部で前記ドライバが車線変更時における安全確認動作を実施していないと判定している場合には、前記車線変更部による自動での車線変更を許可しない運転支援装置。
【請求項２】
請求項１において、
前記ドライバによる前記車両の所定の操作部材（７、５８）への操作入力をもとに、前記車両の車線変更を前記ドライバが許可したことを検出する意思検出部（１０２）をさらに備え、
前記許可部は、前記意思検出部で前記車両の車線変更をドライバが許可していることを検出していない場合には、前記車線変更部による自動での車線変更を許可しない運転支援装置。
【請求項３】
請求項２において、
前記意思検出部は、前記ドライバによる前記操作部材（７）への操作入力が行われてからの経過時間若しくは前記車両の走行距離を計測した計測値が規定値に達した場合に、前記車両の車線変更をドライバが許可したことを検出するものであり、
前記許可部は、前記計測値が前記規定値に達した場合であっても、前記動作判定部で前記ドライバが車線変更時における安全確認動作を実施していないと判定している場合には、前記車線変更部による自動での車線変更を許可しない運転支援装置。
【請求項４】
請求項３において、
前記動作判定部は、前記ドライバによる前記操作部材（７）への操作入力が行われた後に、前記安全確認動作を実施したか否か判定する運転支援装置。
【請求項５】
請求項１〜３のいずれか１項において、
前記車両の車線変更が好ましい運転シーンであるか判定するシーン判定部（１１０）と、
前記シーン判定部で前記車両の車線変更が好ましい運転シーンであると判定した場合に、前記車両の車線変更を提案する報知を行わせる提案処理部（１１１）とをさらに備え、
前記動作判定部は、前記提案処理部による前記車両の車線変更を提案する報知が行われた後に、前記安全確認動作を実施したか否か判定する運転支援装置。
【請求項６】
請求項１〜５のいずれか１項において、
前記安全確認動作を前記ドライバに促す報知を行わせる促進処理部（１０７）をさらに備える運転支援装置。
【請求項７】
請求項６において、
前記促進処理部は、前記安全確認動作を実施していないと前記動作判定部で判定したことをもとに、前記安全確認動作を前記ドライバに促す報知を行わせる運転支援装置。
【請求項８】
請求項１〜７のいずれか１項において、
前記動作判定部は、前記センサとしての撮像装置で逐次撮像する前記ドライバの頭部の撮像画像をもとに逐次推定される前記ドライバの顔向き及び視線方向の少なくともいずれかの動きから、前記ドライバが車線変更時における安全確認動作を実施したか否か判定する運転支援装置。
【発明の詳細な説明】
【技術分野】
【０００１】
本発明は、ドライバの運転を支援する運転支援装置に関するものである。
【背景技術】
【０００２】
従来、ドライバの運転を支援する技術が知られている。例えば、特許文献１には、ドライバのウィンカレバーの操作によって、隣接車線へ車両を自動で車線変更させる技術が開示されている。
【先行技術文献】
【特許文献】
【０００３】
【特許文献１】特許第４１８１０４９号公報
【発明の概要】
【発明が解決しようとする課題】
【０００４】
しかしながら、特許文献１に開示の技術では、ドライバのウィンカレバーの操作を開始条件として、隣接車線へ車両を自動で車線変更させるので、ドライバが安全確認を行わなくても車線変更させてしまう。
【０００５】
隣接車線へ車両を自動で車線変更させる場合、隣接車線を走行中の後側方車両を自車の自律センサによって監視することで、車両のシステム側で後側方の安全を確保して自動で車線変更することも考えられる。しかしながら、現状、自律センサの検知範囲の限界等から、車両のシステムを過信し過ぎるのは好ましくなく、ドライバが安全確認を行うことが好ましい。
【０００６】
本発明は、上記従来の問題点に鑑みなされたものであって、その目的は、自動で車両の車線変更を行わせる場合であっても、ドライバによる安全確認の実施を促すことができる運転支援装置を提供することにある。
【課題を解決するための手段】
【０００７】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【０００８】
上記目的を達成するために、本発明の運転支援装置は、車両で用いられ、自動で車両の車線変更を行わせる車線変更部（１０８）を備える運転支援装置であって、車両のドライバの状態を検出するのに用いるセンサの情報をもとに、ドライバが車線変更時における安全確認動作を実施したか否か判定する動作判定部（１０３）と、車線変更部による自動での車線変更を許可する許可部（１０６）とを備え、許可部は、動作判定部でドライバが車線変更時における安全確認動作を実施していないと判定している場合には、車線変更部による自動での車線変更を許可しない。
【０００９】
これによれば、動作判定部でドライバが車線変更時における安全確認動作を実施していないと判定している場合には、許可部が、車線変更部による自動での車線変更を許可しない。よって、自動で車両の車線変更を行わせる場合に、ドライバが車線変更時における安全確認動作を実施しないと車線変更を行わせることができない。従って、自動で車両の車線変更を行わせる場合であっても、ドライバが車線変更時における安全確認動作を実施するようになる。
【図面の簡単な説明】
【００１０】
【図１】運転支援システム１の概略的な構成の一例を示す図である。
【図２】運転支援ＥＣＵ９の概略的な構成の一例を示す図である。
【図３】運転支援ＥＣＵ９でのＬＣＡ関連処理の流れの一例を示すフローチャートである。
【図４】ＬＣＡ機能部９０の状態遷移の一例について説明するための模式図である。
【図５】実施形態１の構成による効果を説明するための図である。
【図６】運転支援ＥＣＵ９ａの概略的な構成の一例を示す図である。
【発明を実施するための形態】
【００１１】
図面を参照しながら、開示のための複数の実施形態及び変形例を説明する。なお、説明の便宜上、複数の実施形態及び変形例の間において、それまでの説明に用いた図に示した部分と同一の機能を有する部分については、同一の符号を付し、その説明を省略する場合がある。同一の符号を付した部分については、他の実施形態及び／又は変形例における説明を参照することができる。
【００１２】
（実施形態１）
＜運転支援システム１の概略構成＞
以下、本発明の実施形態１について図面を用いて説明する。図１に示す運転支援システム１は、車両に搭載されるものであり、ＡＤＡＳ（Advanced Driver Assistance Systems）ロケータ２、ＩＴＳ（Intelligent Transport Systems）通信機３、周辺監視システム４、ＨＭＩ（Human Machine Interface）システム５、車両制御システム６、ウィンカレバー７、ウィンカスイッチ８、及び運転支援ＥＣＵ９を含んでいる。ＡＤＡＳロケータ２、ＩＴＳ通信機３、周辺監視システム４、ＨＭＩシステム５、車両制御システム６、ウィンカスイッチ８、及び運転支援ＥＣＵ９は、例えば車内ＬＡＮ１０に接続されており、通信によって互いに情報をやり取りすることができる。運転支援システム１を搭載している車両を以降では自車と呼ぶ。
【００１３】
ＡＤＡＳロケータ２は、ＧＮＳＳ受信機、３Ｄジャイロセンサ等の慣性センサ、地図データを格納するメモリを備えている。ＧＮＳＳ（Global Navigation Satellite System）受信機は、複数の人工衛星からの測位信号を受信する。３Ｄジャイロセンサは、例えば３軸ジャイロセンサ及び３軸加速度センサを備える。
【００１４】
ＡＤＡＳロケータ２は、ＧＮＳＳ受信機で受信する測位信号と、慣性センサの計測結果とを組み合わせることにより、自車の位置を測位する。ＡＤＡＳロケータ２は、メモリから自車の進路前方の地図データを読み出し、道路形状、車線数、車線幅、車線規制情報、速度規制値、交叉点位置等の道路情報を抽出する。ＡＤＡＳロケータ２は、自車の位置情報と、進路前方の道路情報とを、車内ＬＡＮ１０へ出力する。
【００１５】
なお、道路情報は、自車に搭載されたＤＣＭ（Data Communication Module）といったテレマティクス通信に用いられる車載通信モジュールを用いて取得する構成としてもよい。
【００１６】
ＩＴＳ通信機３は、自車の周辺車両に搭載された車載通信機及び／又は路側に設置された路側機との間で、無線通信を行う。例えばＩＴＳ通信機３は、車載通信機との車車間通信、路側機との路車間通信により、自車の周辺車両の位置情報及び走行速度情報等を取得する。ＩＴＳ通信機３は、取得した情報を車内ＬＡＮ１０へ出力する。
【００１７】
周辺監視システム４は、周辺監視カメラ４１、ミリ波レーダ４２等の周辺監視センサと、周辺監視ＥＣＵ４０とを備えている。周辺監視システム４は、ソナー、ＬＩＤＡＲ（Light Detection and Ranging/Laser Imaging Detect ion and Ranging）等の周辺監視センサを用いる構成としてもよい。周辺監視システム４は、歩行者、人間以外の動物、自転車、オートバイ、及び他車等の移動物体、さらに路上の落下物、ガードレール、縁石、及び樹木等の静止物体といった障害物を検出する。他にも、走行区画線を検出したり、交通信号の灯色、道路標示、道路標識の表示を検出したりする。
【００１８】
ＨＭＩシステム５は、コンビネーションメータ５３、ＣＩＤ（Center Information Display）５４、ＨＵＤ（Head-Up Display）装置５５、及び電子ミラー５６等の複数の表示デバイスを備えている。さらにＨＭＩシステム５は、ＤＳＭ（Driver Status Monitor）５１、後側方カメラ５２、オーディオスピーカ５７、及び操作デバイス５８を備えている。ＨＭＩシステム５は、自車のドライバからの入力操作を受け付けたり、自車のドライバに向けて情報を提示したり、自車のドライバの状態を監視したりする。
【００１９】
車両制御システム６は、アクセルポジションセンサ６１、ブレーキ踏力センサ６２、舵角センサ６３、及び操舵トルクセンサ６４等の運転操作を検出する検出センサと、自車の走行状態を検出する車速センサ６５等とを備えている。加えて車両制御システム６は、電子制御スロットル６６、ブレーキアクチュエータ６７、及びＥＰＳ（Electric Power Steering）モータ６８等の走行制御デバイスと、車両制御ＥＣＵ６０とを備えている。車両制御システム６は、運転者による運転操作、運転支援ＥＣＵ９からの指示等に基づいて、自車の走行を制御する。
【００２０】
ウィンカレバー７は、自車の方向指示器のランプ点灯操作を行うための操作部材である。実施形態１では、このウィンカレバー７が請求項の所定の操作部材に相当する。ウィンカスイッチ８は、ウィンカレバー７に対する左右それぞれのランプ点灯操作を検出するためのスイッチである。ウィンカスイッチ８は、ウィンカレバー７の操作に応じた右左折時のウィンカ信号を車内ＬＡＮ１０へ出力する。
【００２１】
運転支援ＥＣＵ９は、揮発性メモリ、不揮発性メモリ、Ｉ／Ｏ、これらを接続するバスを備え、不揮発性メモリに記憶された制御プログラムを実行することで各種の処理を実行する。この運転支援ＥＣＵ９が請求項の運転支援装置に相当する。なお、運転支援ＥＣＵ９が実行する機能の一部または全部を、一つあるいは複数のＩＣ等によりハードウェア的に構成してもよい。
【００２２】
運転支援ＥＣＵ９は、車両制御ＥＣＵ６０を制御することにより、ドライバによる運転操作の支援又は代行を行う複数の運転支援アプリケーション（以下、運転支援アプリ）を実行する。運転支援ＥＣＵ９については、後に詳述する。
【００２３】
＜周辺監視システム４の概略構成＞
ここで、周辺監視システム４の概略構成について説明を行う。周辺監視システム４は、周辺監視ＥＣＵ４０、周辺監視カメラ４１、及びミリ波レーダ４２を備えている。
【００２４】
周辺監視カメラ４１は、単眼式若しくは複眼式のカメラであって、自車の周辺を逐次撮像する。以下では、周辺監視カメラ４１として、前方カメラを備える場合を例に挙げて説明を行う。なお、周辺監視カメラ４１として、自車の後方の所定範囲を撮像範囲とする後方カメラ等の他の方向を撮像するカメラを用いる構成としてもよい。
【００２５】
周辺監視カメラ４１は、光軸を自車前方の路面に向けて、例えば自車のルームミラーに設置される。周辺監視カメラ４１は、例えば約４５度程度の水平視野角度で自車から約８０メートルの範囲を撮像する。そして、周辺監視カメラ４１は、逐次撮像する撮像画像のデータを、周辺監視ＥＣＵ４０へ逐次出力する。
【００２６】
ミリ波レーダ４２は、自車の周辺にミリ波又は準ミリ波を逐次送出し、障害物によって反射された反射波を逐次受信する。以下では、ミリ波レーダ４２として、自車右側方から後方までの右後側方をセンシング範囲とする右後側方ミリ波レーダと、自車左側方から後方までの左後側方をセンシング範囲とする左後側方ミリ波レーダとを備える場合を例に挙げて説明を行う。なお、自車前方をセンシング範囲とするミリ波レーダ４２等の他のセンシング範囲をもつミリ波レーダ４２を用いる構成としてもよい。
【００２７】
例えば、右後側方ミリ波レーダは、自車のリヤ部の右に設置される。そして、自車の後方から右後側方にかけての水平走査角度約１２０度程度の範囲に２４ＧＨｚ帯の準ミリ波を放出し、反射波を受信する。左後側方ミリ波レーダについては、右後側方ミリ波レーダと左右が逆である点を除いて同様である。ミリ波レーダ４２の最大検出距離は７０〜１５０ｍ程度である。そして、ミリ波レーダ４２は、受信信号に基づく走査結果を周辺監視ＥＣＵ４０へ逐次出力する。
【００２８】
周辺監視ＥＣＵ４０は、ＣＰＵ、揮発性メモリ、不揮発性メモリ、Ｉ／Ｏ、これらを接続するバスを備え、不揮発性メモリに記憶された制御プログラムを実行することで各種の処理を実行する。なお、周辺監視ＥＣＵ４０が実行する機能の一部または全部を、一つあるいは複数のＩＣ等によりハードウェア的に構成してもよい。
【００２９】
周辺監視ＥＣＵ４０は、周辺監視カメラ４１から取得した撮像画像のデータから、自車前方に存在する物体について、自車からの距離、自車に対する相対位置、自車に対する相対速度等を検出する。一例として、テンプレートマッチング等の周知の画像認識処理によって、自動車、自転車、自動二輪車といった車両、歩行者等を検出の対象とすればよい。
【００３０】
なお、単眼カメラを用いる場合には、自車に対する周辺監視カメラ４１の設置位置及び光軸の向きと撮像画像中での物体の位置とから、自車に対する物体の相対位置及び自車と物体との距離を決定すればよい。複眼カメラを用いる場合には、一対のカメラの視差量をもとに自車と物体との距離を決定すればよい。さらに、自車と物体との車間距離の変化率から自車に対する物体の相対速度を決定すればよい。例えば、検出した物体が車両であって、自車に対する相対位置が自車前方である場合は、この物体を先行車として扱えばよい。
【００３１】
周辺監視ＥＣＵ４０は、周辺監視カメラ４１から取得した撮像画像のデータから、自車の進行方向における走行区画線、自車に対する走行区画線の位置等を検出する。走行区画線は、エッジ検出等の周知の画像認識処理によって検出すればよい。自車に対する走行区画線の位置は、自車に対する周辺監視カメラ４１の設置位置及び光軸の向きと撮像画像中での物体の位置とから検出すればよい。他にも、周辺監視ＥＣＵ４０は、画像認識処理によって、車線規制を示す看板、車線規制を示す路上設置物等を検出する構成としてもよい。
【００３２】
また、周辺監視ＥＣＵ４０は、ミリ波レーダ４２から取得した情報から、自車の後側方に存在する物体について、自車からの距離、自車に対する相対位置、自車に対する相対速度等を検出する。
【００３３】
周辺監視ＥＣＵ４０は、ミリ波レーダ４２が送出した準ミリ波が物体に反射して生じた反射波の受信強度に基づいて物体を検出する。また、周辺監視ＥＣＵ４０は、準ミリ波を送出してから反射波を受信するまでの時間から自車と物体との距離を検出する。さらに、周辺監視ＥＣＵ４０は、反射波の得られた準ミリ波を送信した方向から自車に対する物体の方向を検出する。そして、自車と物体との距離及び自車に対する物体の方向から、自車に対する物体の相対位置を検出する。
【００３４】
また、周辺監視ＥＣＵ４０は、送出した準ミリ波と反射波とのドップラーシフトをもとに、公知の方法によって自車に対する物体の相対速度を検出する。なお、自車に対する物体の相対速度は、自車と物体との距離の時間変化率から検出してもよい。周辺監視ＥＣＵ４０は、検出した各種の情報を、監視情報として車内ＬＡＮ１０に出力する。
【００３５】
なお、周辺監視ＥＣＵ４０は、ＩＴＳ通信機３から取得した周辺車両の位置情報及び走行速度情報等を用いて、周辺車両の存在、自車との距離、自車に対する位置、速度を検出してもよい。
【００３６】
また、周辺監視システム４が備える周辺監視センサの数、種類、種類の組み合わせは実施形態１で示した例に限らない。例えば、自車の前方のセンシングをカメラとミリ波レーダとを併用して行う等、複数種類の周辺監視センサが重複したセンシング範囲を有する構成としてもよい。他にも、周辺監視センサとして、自車の左右斜め前方をそれぞれセンシング範囲とするミリ波レーダをさらに備えたり、自車の左右フロントコーナ付近及び左右リアコーナ付近をセンシング範囲とするソナーをさらに備えたりする構成としてもよい。
【００３７】
＜ＨＭＩシステム５の概略構成＞
続いて、ＨＭＩシステム５の概略構成について説明を行う。ＨＭＩシステム５は、ＨＣＵ（Human Machine Interface Control Unit）５０、ＤＳＭ５１、後側方カメラ５２、コンビネーションメータ５３、ＣＩＤ５４、ＨＵＤ装置５５、電子ミラー５６、オーディオスピーカ５７、及び操作デバイス５８を備えている。
【００３８】
ＤＳＭ５１は、近赤外光源及び近赤外カメラと、これらを制御する制御ユニット等とによって構成されている。ＤＳＭ５１は、近赤外カメラを自車の運転席側に向けた姿勢にて、例えばインスツルメントパネルの上面に配置される。ＤＳＭ５１は、近赤外光源によって近赤外光を照射されたドライバの頭部を、近赤外カメラによって撮影する。近赤外カメラによる撮像画像は、制御ユニットによって画像解析される。制御ユニットは、例えばドライバの顔向き及び／又は視線方向を、撮像画像から検出する。このＤＳＭ５１が請求項のセンサに相当する。
【００３９】
一例として、ＤＳＭ５１は、近赤外カメラによってドライバの顔を撮像した撮像画像から、画像認識処理によって顔の輪郭、目、鼻、口などの部位を検出する。そして、各部位の相対的な位置関係からドライバの顔向きを検出する。また、一例として、ＤＳＭ５１は、近赤外カメラによってドライバの顔を撮像した撮像画像から、画像認識処理によって、ドライバの瞳孔及び角膜反射を検出し、検出した瞳孔と角膜反射との位置関係から視線の方向を検出する。ＤＳＭ５１は、検出したドライバの顔向き、視線方向の情報を車内ＬＡＮ１０へ出力する。
【００４０】
なお、ＤＳＭ５１は、ドライバの顔向きによってドライバの頭部若しくは肩部と運転席のシート若しくはヘッドレストとの距離が変化することを利用して、顔向きを検出する構成としてもよい。一例として、ＤＳＭ５１は、運転席のシート若しくはヘッドレストに設置した複数の測距センサによってそれぞれ検出する、ドライバの頭部若しくは肩部までの距離の変化から、顔向きを検出する構成としてもよい。
【００４１】
後側方カメラ５２は、例えば単眼式のカメラであって、自車の後側方を逐次撮像する。後側方カメラ５２は、自車の左右のドアミラーにそれぞれ設置され、自車の左右の後側方の所定範囲をそれぞれ撮像する。後側方カメラ５２は、逐次撮像する撮像画像のデータをＨＣＵ５０へ逐次出力する。
【００４２】
コンビネーションメータ５３は、自車の車室内にて運転席の前方に配置されている。ＣＩＤ５４は、自車の車室内にてセンタクラスタの上方に配置されている。コンビネーションメータ５３及びＣＩＤ５４は、ＨＣＵ５０から取得した画像データに基づいて、情報通知のための種々の画像をディスプレイの表示画面に表示する。
【００４３】
ＨＵＤ装置５５は、ＨＣＵ５０から取得した画像データに基づいて表示素子に形成された表示画像を、自車のウインドシールドに投影することにより、表示画像の虚像を自車の室内から前方の外界風景と重ねて視認可能に表示させる。ＨＵＤ装置５５は、虚像表示された表示物によってドライバへ情報を提示する。
【００４４】
電子ミラー５６は、後側方カメラ５２で逐次撮像した自車の後側方の撮像画像を逐次表示する表示デバイスであって、自車の右後側方の撮像画像を表示する表示デバイスと、自車の左後側方の撮像画像を表示する表示デバイスとがある。一例としては、電子ミラー５６は、自車の車室内において、ウインドシールドの左右両側に位置する各ピラーの根本に設置される。電子ミラー５６は、後側方カメラ５２で逐次撮像した撮像画像を、ＨＣＵ５０を介して逐次取得して表示する。
【００４５】
電子ミラー５６は、後側方カメラ５２で撮像した自車の後側方の撮像画像に加え、ＨＣＵ５０で生成した表示物を重畳表示してもよい。また、ＨＣＵ５０で生成した表示物と、後側方カメラ５２で撮像した自車の後側方の撮像画像との表示領域を分けて表示してもよい。電子ミラー５６は、自車の後側方の撮像画像に加えて表示される表示物によってドライバへ情報を提示する。
【００４６】
オーディオスピーカ５７は、例えば自車のドアの内張り内に設置され、自車のドライバによって聞き取り可能な音又は音声を再生する。具体的には、機械的なビープ音、メッセージ等の合成音声等がオーディオスピーカ５７から出力される。オーディオスピーカ５７は、再生する音及び音声によってドライバへ向けた情報提示を行う。
【００４７】
操作デバイス５８は、自車のドライバが操作するスイッチ群である。例えば、操作デバイス５８としては、自車のステアリングのスポーク部に設けられたステアリングスイッチがある。ステアリングスイッチは、ドライバが運転支援アプリの起動の要否等を含む各種設定を行うために用いられたり、ドライバが自動での車線変更を許可するために用いられたりする。
【００４８】
ＨＣＵ５０は、ＣＰＵ、揮発性メモリ、不揮発性メモリ、Ｉ／Ｏ、これらを接続するバスを備え、不揮発性メモリに記憶された制御プログラムを実行することで各種の処理を実行する。なお、ＨＣＵ５０が実行する機能の一部または全部を、一つあるいは複数のＩＣ等によりハードウェア的に構成してもよい。
【００４９】
ＨＣＵ５０は、コンビネーションメータ５３、ＣＩＤ５４、ＨＵＤ装置５５、電子ミラー５６、オーディオスピーカ５７を制御して情報を提示することで、ドライバに向けた報知を行う。また、ＨＣＵ３０は、後側方カメラ５２から逐次取得する自車の後側方の撮像画像データを電子ミラー５６に逐次出力する。他にも、ＨＣＵ５０は、ＤＳＭ５１での検出結果、操作デバイス５８でのスイッチ操作に応じた信号を車内ＬＡＮ１０に出力する。
【００５０】
＜車両制御システム６の概略構成＞
続いて、車両制御システム６の概略構成について説明を行う。車両制御システム６は、車両制御ＥＣＵ６０、アクセルポジションセンサ６１、ブレーキ踏力センサ６２、舵角センサ６３、操舵トルクセンサ６４、車速センサ６５、電子制御スロットル６６、ブレーキアクチュエータ６７、及びＥＰＳモータ６８を備えている。
【００５１】
アクセルポジションセンサ６１は、ドライバによるアクセルペダルの踏み込み量を検出し、車両制御ＥＣＵ６０へ出力する。ブレーキ踏力センサ６２は、ドライバによるブレーキペダルの踏力を検出し、車両制御ＥＣＵ６０へ出力する。舵角センサ６３は、舵角として自車の操舵角若しくは転舵角を検出する。操舵トルクセンサ６４は、ドライバによってステアリングホイールに印加された操舵トルクを検出し、車両制御ＥＣＵ６０へ出力する。車速センサ６５は、変速機の出力軸又は車軸の回転速度を計測することにより、自車の現在の走行速度を検出し、車両制御ＥＣＵ６０へ出力する。
【００５２】
電子制御スロットル６６は、車両制御ＥＣＵ６０から出力される制御信号に基づき、スロットルの開度を制御する。ブレーキアクチュエータ６７は、車両制御ＥＣＵ６０から出力される制御信号に基づいたブレーキ圧の発生により、各車輪に発生させる制動力を制御する。ＥＰＳモータ６８は、車両制御ＥＣＵ６０から出力される制御信号に基づき、ステアリング機構に印加される操舵力及び保舵力を制御する。
【００５３】
車両制御ＥＣＵ６０は、自車の加減速制御及び／又は操舵制御を行う電子制御装置である。車両制御ＥＣＵ６０としては、操舵制御を行う操舵ＥＣＵ、加減速制御を行うパワーユニット制御ＥＣＵ及びブレーキＥＣＵ等がある。車両制御ＥＣＵ６０は、アクセルポジションセンサ６１、ブレーキ踏力センサ６２、舵角センサ６３、車速センサ６５等の各センサから出力される検出信号をもとに、電子制御スロットル６６、ブレーキアクチュエータ６７、及びＥＰＳモータ６８等の各走行制御デバイスへ制御信号を出力する。車両制御ＥＣＵ６０は、運転支援アプリの実行時には、運転支援ＥＣＵ９からの指示に従って自車の加減速制御及び／又は操舵制御を行う。また、車両制御ＥＣＵ６０は、上述の各センサ６１〜６５から出力された検出信号を車内ＬＡＮ１０へも出力する。
【００５４】
＜運転支援ＥＣＵ９の概略構成＞
続いて、図２を用いて運転支援ＥＣＵ９の概略構成を説明する。運転支援ＥＣＵ９は、不揮発性メモリに記憶された制御プログラムを実行することで、ＬＣＡ（Lane Change Assist）機能部９０、ＡＣＣ（Adaptive Cruise Control）機能部９１、ＬＫＡ（Lane Keeping Assist）機能部９２、及びＡＥＢ（Autonomous Emergency Braking）機能部９３を、機能ブロックとして構築する。これら機能ブロックにより、前述の運転支援アプリが実行される。
【００５５】
ＡＣＣ機能部９１は、周辺監視ＥＣＵ４０から取得する先行車の監視情報に基づき、車両制御ＥＣＵ６０に駆動力及び制動力を調整させることで、自車の走行速度を制御するＡＣＣの機能を実現する。ＡＣＣ機能部９１は、先行車が検出されていない場合には、例えば操作デバイス５８を介してドライバによって設定された目標走行速度で、自車を定速走行させる。一方、先行車が検出されている場合には、ＡＣＣ機能部９１は、先行車の速度を目標走行速度として、この目標走行速度に応じた先行車までの目標車間距離を設定する。そして、この目標車間距離となるように加減速制御を行いつつ、自車を先行車に追従走行させる。先行車の速度は、周辺監視ＥＣＵ４０で検出した自車に対する先行車の相対速度と、自車の車速センサ６５の検出信号が示す自車の車速とから求めればよい。
【００５６】
ＬＫＡ機能部９２は、車両制御ＥＣＵ６０に操舵力を調整させることで、自車の操舵輪の舵角を制御するＬＫＡの機能を実現する。ＬＫＡ機能部９２は、走行区画線への接近を阻む方向への操舵力を発生させることで自車を自車線内に維持して走行させる。ＡＣＣの機能とＬＫＡの機能とを共に作動させて自車の走行レーン内の自動運転を実現する運転支援を以降ではレーン内走行支援と呼ぶ。
【００５７】
ＡＥＢ機能部９３は、周辺監視ＥＣＵ４０から取得する自車前方の監視情報に基づいて、車両制御ＥＣＵ６０に制動力を調整させることで、自車の車速を強制的に自動減速する衝突被害軽減制動（つまり、ＡＥＢ）の機能を実現する。具体例としては、自車前方の物体に対するＴＴＣ（time to collision）が例えば５ｓｅｃ等の設定値を下回り、緊急制御条件が成立した場合に、自車の車速を強制的に自動減速させる。
【００５８】
ＬＣＡ機能部９０は、現在走行中の車線から隣接車線へと自車を移動させるＬＣＡの機能を実現する。ＬＣＡ機能部９０の詳細については後述する。
【００５９】
なお、運転支援ＥＣＵ９は、周辺監視ＥＣＵ４０から取得する自車の左右後側方の監視情報に基づいて、自車の左右後側方領域の他車の存在をドライバに報知するＢＳＭ（Blind Spot Monitor）の機能を実現する等、他の運転支援に関する機能を実現する構成としてもよい。
【００６０】
＜ＬＣＡ機能部９０の概略構成＞
続いて、図２を用いてＬＣＡ機能部９０の概略構成を説明する。ＬＣＡ機能部９０は、機能ブロックとして、状態遷移部１００、ＬＣ（Lane Change）意思判定部１０１、意思検出部１０２、動作判定部１０３、タイムアウト判定部１０４、周辺状況判定部１０５、許可部１０６、促進処理部１０７、車線変更部１０８、及び完了後処理部１０９を備えている。
【００６１】
状態遷移部１００は、自車のＬＣＡ機能の状態を遷移させる。状態遷移部１００は、例えばレーン内走行支援がＯＦＦ（つまり、ＡＣＣ及びＬＫＡの機能が共に非作動）である場合に、ＬＣＡ機能が実行できないＬＣ_ＯＦＦの状態とする。他にも、周辺監視ＥＣＵ４０で自車の隣接車線を検出できていない場合に、ＬＣ_ＯＦＦとする。例えば、自車の隣接車線を検出できていない場合とは、自車線と隣接車線との間の走行区画線を検出できていない場合を指す。一方、状態遷移部１００は、レーン内走行支援がＯＮ（つまり、ＡＣＣ及びＬＫＡの機能が共に作動）であって、且つ、周辺監視ＥＣＵ４０で自車の隣接車線を検出できている場合に、ＬＣＡ機能を実行する準備ができているＬＣ_ＲＥＡＤＹの状態に遷移させる。
【００６２】
また、状態遷移部１００は、後述するＬＣ意思判定部１０１でドライバの車線変更の意思ありと判定した場合に、ＬＣＡ機能部９０を、ＬＣＡ機能を実行するＬＣ_ＯＮの状態に遷移させる。一方、状態遷移部１００は、後述するタイムアウト判定部１０４でＬＣ意思判定部１０１若しくは動作判定部１０３の判定結果が無効と判定した場合に、ＬＣ_ＲＥＡＤＹの状態に遷移させる。他にも、状態遷移部１００は、後述する車線変更部１０８での操舵が完了した場合に、ＬＣ_ＲＥＡＤＹの状態に遷移させる。
【００６３】
ＬＣ意思判定部１０１は、ＬＣ_ＲＥＡＤＹの状態にある場合に、ドライバの車線変更の意思を判定する。一例として、ウィンカスイッチ８から右左折時のウィンカ信号が得られた場合に、車線変更の意思あり（以下、ＬＣ意思あり）と判定すればよい。また、右折時のウィンカ信号が得られた場合に、右隣接車線にＬＣ意思ありと判定し、左折時のウィンカ信号が得られた場合に、左隣接車線にＬＣ意思ありと判定すればよい。右左折時のウィンカ信号が得られていない場合には、ＬＣ意思なしと判定すればよい。実施形態１では、ウィンカレバー７が請求項の操作部材に相当する。
【００６４】
意思検出部１０２は、ＬＣ意思判定部１０１でＬＣ意思ありと判定した時点を起点として、カウントを開始する。つまり、ウィンカレバー７の操作時を起点とするカウントを開始する。そして、カウントが規定値に達したことを、車線変更をドライバが許可したこと（以下、操舵開始トリガＯＮ）として検出する。カウントは、経過時間のカウントであっても、自車の走行距離のカウントであってもよいが、以下では経過時間のカウントを行う場合を例に挙げて説明を行う。経過時間のカウントは、例えばタイマー回路等によって行えばよい。このカウントが請求項の計測値に相当する。
【００６５】
動作判定部１０３は、ＨＣＵ５０から逐次出力されるＤＳＭ５１での検出結果をもとに、ドライバが車線変更時における安全確認動作を実施したか否か判定する。動作判定部１０３での判定は、ＬＣ意思判定部１０１でＬＣ意思ありと判定した後に開始することが好ましい。これは、動作判定部１０３での判定を常時行う構成に比べ、運転支援ＥＣＵ９の処理負荷を低減できるためである。
【００６６】
ここで、ＬＣ意思判定部１０１で右隣接車線にＬＣ意思ありと判定した場合の動作判定部１０３での判定の一例について説明する。動作判定部１０３は、ＤＳＭ５１で検出されるドライバの顔向き及び／又は視線方向が、自車の正面から右後側方に動き、右後側方を向いた状態で一定時間以上滞留した後に、自車の正面に戻る動きを示した場合に、安全確認動作を実施したと判定すればよい。なお、ここでの一定時間とは、安全確認に通常要すると考えられる程度の滞留時間であって、任意に設定可能である。
【００６７】
また、ＤＳＭ５１でドライバの視線方向まで検出する場合には、例えば、自車の正面、右ドアミラー、右後側方、正面の順に視線方向が移動した場合に、安全確認動作を実施したと判定してもよい。右ドアミラー、右後側方については、視線方向が一定時間以上滞留したことを条件としてもよい。
【００６８】
なお、ＬＣ意思判定部１０１で左隣接車線に車線変更の意思ありと判定した場合の動作判定部１０３での判定については、左右が逆になる点を除けば、右隣接車線に車線変更の意思ありと判定した場合と同様である。
【００６９】
タイムアウト判定部１０４は、意思検出部１０２の検出結果及び動作判定部１０３の判定結果が有効期限切れ（つまり、タイムアウト）か否かを判定する。意思検出部１０２の検出結果については、意思検出部１０２で操舵開始トリガＯＮと検出してからの経過時間が第１有効時間以上の場合にタイムアウトと判定し、第１有効時間未満の場合に有効と判定する。ここで言うところの第１有効時間は、任意に設定可能であって数秒程度とすればよい。
【００７０】
動作判定部１０３での判定結果については、動作判定部１０３で安全確認動作を実施したと判定してからの経過時間が第２有効時間以上の場合にタイムアウトと判定し、第２有効時間未満の場合に有効と判定する。ここで言うところの第２有効時間は、隣接車線の後側方の状況が変化する可能性が高いと考えられる程度の時間であって、任意に設定可能である。例えば第２有効時間は数秒程度とすればよい。
【００７１】
周辺状況判定部１０５は、ＬＣ_ＯＮの状態となった場合に、周辺監視ＥＣＵ４０から逐次出力される監視情報をもとに、自車の周辺状況が隣接車線に車線変更可能な周辺状況か否かを逐次判定する。一例として、ミリ波レーダ４２が検出した自車の後側方の監視情報から、車線変更先の車線の後側方に、自車に接近する物体がなかった場合に、車線変更可能な周辺状況と判定する。一方、車線変更先の車線の後側方に、自車に接近する物体があった場合には、車線変更不可能な周辺状況と判定する。
【００７２】
なお、周辺状況判定部１０５は、ＩＴＳ通信機３で取得した周辺車両の位置情報及び走行速度情報等から、車線変更先の車線の後側方に、自車に接近する他車が存在するか否かを判定することで、自車の周辺状況が隣接車線に車線変更可能な周辺状況か否かを判定してもよい。
【００７３】
許可部１０６は、ＬＣ_ＯＮの状態となった場合に、所定の条件を満たすか否かによって、自車の車線変更を許可したり、許可しなかったりする。所定の条件とは、意思検出部１０２で操舵開始トリガＯＮを検出したこと、動作判定部１０３で安全確認動作を実施したと判定したこと、周辺状況判定部１０５で車線変更可能な周辺状況と判定していること、及びタイムアウト判定部１０４でＬＣ意思判定部１０１及び動作判定部１０３の判定結果がタイムアウトと判定されないことである。なお、ここで言う規定値とは、前述の第１有効時間よりも短い時間に相当する任意に設定可能な値であって、例えば３秒とすればよい。
【００７４】
促進処理部１０７は、動作判定部１０３で安全確認動作を実施していないと判定したこともとに、安全確認動作をドライバに促す報知を行わせる指示をＨＣＵ５０に出力する。一例としては、意思検出部１０２で操舵開始トリガＯＮを検出したにも関わらず、動作判定部１０３で安全確認動作を実施していないと判定した場合に、安全確認動作をドライバに促す報知を行わせる構成とすればよい。なお、高齢者等の安全確認動作が定常的に遅いドライバに対して無駄に報知を行わないようにするため、意思検出部１０２で操舵開始トリガＯＮを検出してから一定時間経過を条件としてもよい。ここで言うところの一定時間とは、任意に設定可能であって、高齢者等の安全確認動作が定常的に遅いドライバが安全確認動作を完了する時間を考慮して設定すればよい。
【００７５】
報知を行わせる指示を受けたＨＣＵ５０では、表示デバイスやオーディオスピーカ５７から、安全確認動作をドライバに促す報知を行わせる。報知の一例としては、電子ミラー５６等の表示デバイスに安全確認動作を促す表示を行う構成としてもよいし、単にＬＥＤ等のランプを点灯させる構成としてもよい。
【００７６】
車線変更部１０８は、車両制御ＥＣＵ６０に指示を行い、隣接車線へ向かう方向への操舵力を発生させることにより、自車を隣接車線へ移動させる。完了後処理部１０９は、車線変更部１０８での自車を隣接車線へ移動させる処理における操舵が完了した場合に、操舵完了後処理を行う。
【００７７】
操舵完了後処理の一例としては、車線変更が完了したことを示す報知を行わせる指示をＨＣＵ５０に出力し、表示デバイスやオーディオスピーカ５７から、車線変更が完了したことを示す報知を行わせる。車線変更中に車線変更中であることを示す表示を行わせる構成の場合、操舵完了後処理によって、車線変更中であることを示す表示を終了させる構成としてもよい。他の例としては、ウィンカレバーを動作させる電子制御装置に指示を出力し、ドライバによって操作されていたウィンカレバー７を中立位置に自動的に復帰させてもよい。
【００７８】
＜ＬＣＡ関連処理＞
続いて、図３のフローチャートを用いて、運転支援ＥＣＵ９でのＬＣＡ機能に関連する処理（以下、ＬＣＡ関連処理）の流れの一例について説明を行う。図３のフローチャートは、例えば、運転支援ＥＣＵ９でのレーン内走行支援がＯＮ（つまり、ＡＣＣ及びＬＫＡの機能が共に作動）したときに開始する構成とすればよい。
【００７９】
まず、ステップＳ１では、状態遷移部１００によってＬＣＡ機能部９０がＬＣ_ＲＥＡＤＹの状態に遷移した場合（Ｓ１でＹＥＳ）には、ステップＳ２に移る。一方、ＬＣ_ＲＥＡＤＹの状態に遷移しておらず、ＬＣ_ＯＦＦの状態である場合（Ｓ１でＮＯ）には、ステップＳ１４に移る。
【００８０】
ステップＳ２では、ＬＣ意思判定部１０１でＬＣ意思ありと判定した場合（Ｓ２でＹＥＳ）には、ステップＳ３に移る。一方、ＬＣ意思なしと判定した場合（Ｓ２でＮＯ）には、ステップＳ１３に移る。ステップＳ３では、意思検出部１０２が、ＬＣ意思判定部１０１でＬＣ意思ありと判定した時点を起点として、カウントを開始する。
【００８１】
ステップＳ４では、周辺状況判定部１０５が車線変更可能な周辺状況と判定している場合（Ｓ４でＹＥＳ）には、ステップＳ５に移る。一方、周辺状況判定部１０５が車線変更不可能な周辺状況と判定している場合（Ｓ４でＮＯ）には、ステップＳ８に移る。
【００８２】
ステップＳ５では、意思検出部１０２でのカウントが規定値に達し、意思検出部１０２で操舵開始トリガＯＮを検出している場合（Ｓ５でＹＥＳ）には、ステップＳ６に移る。一方、意思検出部１０２で操舵開始トリガＯＮを検出していない場合（Ｓ５でＮＯ）には、Ｓ８に移る。
【００８３】
ステップＳ６では、動作判定部１０３で安全確認動作を実施したと判定していた場合（Ｓ６でＹＥＳ）には、ステップＳ７に移る。一方、動作判定部１０３で安全確認動作を実施していないと判定していた場合（Ｓ６でＮＯ）には、Ｓ８に移る。
【００８４】
ステップＳ７では、タイムアウト判定部１０４でＬＣ意思判定部１０１若しくは動作判定部１０３の判定結果がタイムアウトと判定した場合（Ｓ７でＹＥＳ）には、ステップＳ１２に移る。一方、タイムアウト判定部１０４でＬＣ意思判定部１０１及び動作判定部１０３の判定結果のいずれも有効と判定した場合（Ｓ７でＮＯ）には、許可部１０６が自車の車線変更を許可し、ステップＳ９に移る。
【００８５】
また、ステップＳ８では、タイムアウト判定部１０４でＬＣ意思判定部１０１若しくは動作判定部１０３の判定結果がタイムアウトと判定した場合（Ｓ８でＹＥＳ）には、Ｓ１２に移る。一方、タイムアウト判定部１０４でＬＣ意思判定部１０１及び動作判定部１０３の判定結果のいずれも有効と判定した場合（Ｓ８でＮＯ）には、Ｓ４に戻って処理を繰り返す。
【００８６】
なお、Ｓ７，Ｓ８でタイムアウトと判定した場合には、再度のウィンカレバー７の操作、安全確認動作が必要となることを示す報知を行わせる指示をＨＣＵ５０に出力し、表示デバイスやオーディオスピーカ５７からこの報知を行わせることが好ましい。また、Ｓ７，Ｓ８でタイムアウトと判定した場合には、ドライバによって操作されていたウィンカレバー７を中立位置に自動的に復帰させることにより、再度のウィンカレバー７の操作、安全確認動作が必要となることドライバに認識させる構成としてもよい。
【００８７】
ステップＳ９では、車線変更部１０８が、車両制御ＥＣＵ６０に指示を行い、自車を隣接車線へ移動させる。ステップＳ１０では、車線変更部１０８での操舵が完了した場合（Ｓ１０でＹＥＳ）には、ステップＳ１１に移る。一方、車線変更部１０８での操舵が完了していない場合（Ｓ１０でＮＯ）には、Ｓ９に戻って処理を繰り返す。ステップＳ１１では、完了後処理部１０９が操舵完了後処理を行って、ステップＳ１２に移る。
【００８８】
ステップＳ１２では、ＬＣＡ関連処理の終了タイミングであった場合（Ｓ１２でＹＥＳ）には、ＬＣＡ関連処理を終了する。一方、ＬＣＡ関連処理の終了タイミングでなかった場合（Ｓ１２でＮＯ）には、Ｓ２に戻って処理を繰り返す。ＬＣＡ関連処理の終了タイミングの一例としては、操作デバイス５８を介したドライバの操作入力によってレーン内走行支援がＯＦＦされたこと、自車のイグニッション電源がオフとなったこと等がある。
【００８９】
Ｓ２でＬＣ意思なしと判定した場合のステップＳ１３では、ＬＣＡ機能部９０がＬＣ_ＯＦＦの状態である場合（Ｓ１３でＹＥＳ）には、ステップＳ１４に移る。一方、ＬＣＡ機能部９０がＬＣ_ＯＦＦの状態でない場合（Ｓ１３でＮＯ）には、Ｓ２に戻って処理を繰り返す。
【００９０】
また、Ｓ１でＬＣＡ機能部９０がＬＣ_ＲＥＡＤＹの状態でない場合のステップＳ１４では、ＬＣＡ関連処理の終了タイミングであった場合（Ｓ１４でＹＥＳ）には、ＬＣＡ関連処理を終了する。一方、ＬＣＡ関連処理の終了タイミングでなかった場合（Ｓ１４でＮＯ）には、Ｓ１に戻って処理を繰り返す。
【００９１】
＜ＬＣＡ機能部９０の状態遷移＞
ここで、図４を用いて、ＬＣＡ機能部９０の状態遷移についてまとめる。ＬＣＡ機能部９０は、前述したように、レーン内走行支援がＯＦＦである場合と、周辺監視ＥＣＵ４０で自車の隣接車線を検出できていない場合との少なくともいずれかの場合に、ＬＣ_ＯＦＦの状態になる。一方、ＬＣ_ＯＦＦの状態において、レーン内走行支援がＯＮであって、且つ、周辺監視ＥＣＵ４０で自車の隣接車線を検出できた場合に、ＬＣ_ＯＦＦからＬＣ_ＲＥＡＤＹの状態へ遷移する。
【００９２】
また、ＬＣ_ＲＥＡＤＹの状態において、ＬＣ意思判定部１０１でドライバの車線変更の意思ありと判定した場合に、ＬＣ_ＯＮの状態に遷移する。ＬＣ_ＯＮの状態において、タイムアウト判定部１０４でタイムアウトと判定した場合には、ＬＣ_ＲＥＡＤＹの状態へ遷移する。一方、タイムアウトと判定しておらず、車線変更可能な周辺状況、操舵開始トリガＯＮの検出、及び安全確認動作の実施といった３つの条件を満たした場合に、車線変更が許可されて操舵が開始される。そして、操舵が完了し、操舵完了後処理を実行して車線変更が完了した場合に、ＬＣ_ＯＮの状態からＬＣ_ＲＥＡＤＹの状態に遷移する。
【００９３】
＜実施形態１のまとめ＞
実施形態１の構成によれば、動作判定部１０３でドライバが車線変更時における安全確認動作を実施していないと判定している場合には、許可部１０６が、車線変更部１０８による自動での車線変更を許可しない。よって、ＬＣＡ機能によって自動で車両の車線変更を行わせる場合であっても、ドライバが車線変更時における安全確認動作を実施しなければならなくなる。また、ドライバが車線変更時における安全確認動作を実施しなければ車線変更を行うことができないので、ドライバに安全確認動作を促すことができる。その結果、車線変更時の安全確認動作をドライバに習慣付けることができ、ドライバの成長を促すことができる。
【００９４】
また、ＬＣ意思判定部１０１でＬＣ意思ありと判定した時点からのカウントが規定値に達したことを操舵開始トリガＯＮとする構成において、ドライバによる安全確認動作の実施を車線変更許可の必須条件とすることで、車線変更時の操舵開始のタイミングを個人適応させることが可能になる。詳しくは、図５を用いて以下で説明を行う。
【００９５】
図５のＡが、ドライバによる安全確認動作の実施を車線変更許可の必須条件としない場合の例を示している。また、図５のＢ，Ｃがドライバによる安全確認動作の実施を車線変更許可の必須条件とする場合の例を示している。さらに、図５のＢがウィンカレバー７の操作から安全確認動作実施までが早いドライバの例を示しており、図５のＣがウィンカレバー７の操作から安全確認動作実施までの時間が遅いドライバの例を示している。
【００９６】
Ａの例のように、ドライバによる安全確認動作の実施を車線変更許可の必須条件としない場合には、安全確認動作の遅いドライバを考慮して、操舵開始トリガＯＮとするカウントの規定値（ＡのＴ１参照）を大きめに設定する必要がある。
【００９７】
これに対して、実施形態１の構成によれば、ドライバによる安全確認動作の実施を車線変更許可の必須条件とするので、安全確認動作の遅いドライバを考慮せずに、操舵開始トリガＯＮとするカウントの規定値（Ｂ，ＣのＴ１参照）をＡの場合よりも小さめに設定することができる。よって、ウィンカレバー７の操作から安全確認動作実施までが早いドライバであれば、カウントの規定値を小さめに設定できる分だけＡの場合よりも早く操舵を開始することが可能になる（ＢのＴ１参照）。一方、ウィンカレバー７の操作から安全確認動作実施までが遅いドライバにとっては、カウントが規定値に達しても、安全確認動作が実施されるまでは操舵が開始されずに済む（ＣのＴ２参照）。このように、実施形態１の構成によれば、車線変更時の操舵開始のタイミングを個人適応させることが可能になる。
【００９８】
（実施形態２）
なお、ＬＣ意思判定部１０１でＬＣ意思ありか否かを判定するよりも前に、車線変更が好ましい運転シーンであるかを判定して車線変更をドライバに提案する構成（以下、実施形態２）としてもよい。図６を用いて、実施形態２における運転支援ＥＣＵ９ａの概略的な構成の一例について説明を行う。図６では、便宜上、運転支援ＥＣＵ９ａが備える構成のうち、実施形態１の運転支援ＥＣＵ９と異なる構成以外は図示を省略している。運転支援ＥＣＵ９ａは、シーン判定部１１０及び提案処理部１１１を備える点を除けば、実施形態１の運転支援ＥＣＵ９と同様である。シーン判定部１１０及び提案処理部１１１は、ＬＣＡ機能部９０に含まれる構成であってもよいし、ＬＣＡ機能部９０に含まれない構成としてもよい。
【００９９】
シーン判定部１１０は、自車の走行状態及び／又は自車周囲の状況をもとに、車線変更が好ましい運転シーンであるか判定する。
【０１００】
例えば、シーン判定部１１０は、ＡＤＡＳロケータ２から取得する自車の位置及び交叉点の位置、周辺監視ＥＣＵ４０から取得する自車と先行車との車間距離をもとに、車線変更が好ましい運転シーンであるか判定する。具体例としては、自車が交差点から所定距離以上離れており、且つ、自車と先行車との車間距離が所定値以下である場合に、車線変更が好ましい運転シーンであると判定すればよい。
【０１０１】
ここで言うところの所定距離とは、交叉点手前の車線変更禁止とすべき距離以上であればよく、任意に設定可能である。また、ここで言うところの所定値とは、先行車の速度が速度規制値よりも大幅に低いと言える場合の目標車間距離程度とすればよく、任意に設定可能である。ＡＤＡＳロケータ２から取得する地図データに含まれる速度規制値に応じてこの所定値を逐次変更する構成としてもよいし、速度規制値に関わらず固定値とする構成としてもよい。
【０１０２】
また、シーン判定部１１０は、ＡＤＡＳロケータ２から取得する自車の位置及び車線規制情報をもとに、自車の車線変更が好ましい運転シーンであるか判定する。具体例としては、自車が車線規制により車線変更しなければならない地点まで所定距離未満となった場合に、車線変更が好ましい運転シーンであると判定すればよい。ここで言うところの所定距離とは、任意に設定可能である。
【０１０３】
なお、車線規制により車線変更しなければならない地点についての車線規制情報は、ＩＴＳ通信機３を介して路側機から取得する構成としてもよい。他にも、周辺監視カメラ４１で撮像した撮像画像から画像認識処理によって車線規制を示す標識若しくは看板を検出することで、車線規制情報を取得する構成としてもよい。
【０１０４】
他にも、カーナビゲーション装置で経路案内中の推奨経路、自動運転による走行予定経路等の走行が予定される予定経路の情報を運転支援ＥＣＵ９が取得できる場合には、この予定経路を用いて、車線変更が好ましい運転シーンをシーン判定部１１０で判定する構成としてもよい。一例として、予定経路から、進行方向前方の交差点で右左折が必要であり、且つ、右左折のために車線変更が必要な場合に、車線変更が好ましい運転シーンであることをシーン判定部１１０で判定すればよい。
【０１０５】
提案処理部１１１は、シーン判定部１１０で車線変更が好ましい運転シーンであると判定した場合に、自車の車線変更を提案する報知を行わせる指示をＨＣＵ５０に出力する。報知を行わせる指示を受けたＨＣＵ５０では、表示デバイスやオーディオスピーカ５７から、自車の車線変更を提案する報知を行わせる。報知の一例としては、電子ミラー５６等の表示デバイスに車線変更を提案するテキストやアイコンの表示を行う構成とすればよい。
【０１０６】
実施形態２の構成によれば、車線変更が好ましいタイミングをドライバが判断する手間が省けるという利点がある。
【０１０７】
（変形例１）
実施形態１，２では、動作判定部１０３での判定を、ＬＣ意思判定部１０１でＬＣ意思ありと判定した後に開始する構成を示したが、必ずしもこれに限らない。例えば、ＬＣ意思判定部１０１でＬＣ意思ありと判定する前から動作判定部１０３での判定を開始する構成（以下、変形例１）としてもよい。
【０１０８】
一例としては、ＬＣ_ＲＥＡＤＹ以外の状態からＬＣ_ＲＥＡＤＹの状態に遷移した場合に、動作判定部１０３での判定を開始する構成とすればよい。他にも、実施形態２の構成と組み合わせることで、提案処理部１１１で自車の車線変更を提案する報知を行わせた後に、動作判定部１０３での判定を開始する構成としてもよい。
【０１０９】
なお、変形例１の構成を採用する場合には、実施形態１の場合に比べて安全確認動作を実施したと判定されるタイミングが早まることがあるため、タイムアウト判定部１０４で用いる第２有効時間を、実施形態１の場合よりも長めに設定すればよい。
【０１１０】
変形例１の構成によれば、ＬＣ意思判定部１０１でＬＣ意思ありと判定する前から動作判定部１０３での判定を開始するので、車線変更時においてウィンカレバー７の操作前に安全確認動作を実施するドライバの安全確認動作についても判定の対象とすることができる。よって、ウィンカレバー７の操作前に安全確認動作を実施したにも関わらず、安全確認動作を実施していないとして車線変更が許可されない状況が生じるのを防止できる。
【０１１１】
また、変形例１の構成であっても、安全確認動作を実施しない限り、車線変更は許可されない。よって、ウィンカレバー７の操作からの経過時間だけを条件に車線変更のための操舵が自動で開始されることがない。従って、ウィンカレバー７の操作後に安全確認動作を実施するドライバが安全確認動作を完了する前に、車線変更のための操舵が自動で開始される不具合は生じない。
【０１１２】
（変形例２）
実施形態１，２では、ＬＣＡ関連処理をレーン内走行支援がＯＮになったときに開始する構成を示したが、必ずしもこれに限らない。例えば、ＬＫＡの機能を作動させずにＡＣＣの機能を作動させたときにも開始する構成としてもよいし、ＡＣＣの機能もＬＫＡの機能も作動させずに手動で車両を走行させる場合に開始する構成としてもよい。
【０１１３】
（変形例３）
実施形態１，２では、意思検出部１０２で操舵開始トリガＯＮを検出したこと、動作判定部１０３で安全確認動作を実施したと判定したこと、周辺状況判定部１０５で車線変更可能な周辺状況と判定していること、及びタイムアウト判定部１０４でタイムアウトと判定されないことを、車線変更を許可する条件としたが、必ずしもこれに限らない。
【０１１４】
例えば、意思検出部１０２で操舵開始トリガＯＮを検出したことを、車線変更を許可する条件としない構成としてもよい。他にも、周辺状況判定部１０５で車線変更可能な周辺状況と判定していることを、車線変更を許可する条件としない構成としてもよい。また、タイムアウト判定部１０４でタイムアウトと判定されないことを、車線変更を許可する条件としない構成としてもよい。
【０１１５】
（変形例４）
実施形態１，２では、意思検出部１０２が、ＬＣ意思判定部１０１でＬＣ意思ありと判定した時点を起点としたカウントが規定値に達したことを操舵開始トリガＯＮとして検出する構成を示したが、必ずしもこれに限らない。
【０１１６】
例えば、操作デバイス５８のうちの、ドライバが車線変更の意思を伝えるのに用いるボタン等を操作したことを操舵開始トリガＯＮとして検出する構成としてもよい。この場合、操作デバイス５８が請求項の操作部材に相当する。他にも、ドライバがステアリングホイールを操作したことを操舵開始トリガＯＮとして検出する構成としてもよい。この場合、ステアリングホイールが請求項の操作部材に相当する。また、ドライバがステアリングホイールを操作したことは、操舵トルクセンサ６４の信号から意思検出部１０２が検出する構成とすればよい。
【０１１７】
（変形例５）
実施形態１，２では、タイムアウト判定部１０４が、意思検出部１０２で操舵開始トリガＯＮと検出してからの経過時間が第１有効時間以上の場合にタイムアウトと判定する構成を示したが、必ずしもこれに限らない。例えば、ドライバがウィンカレバー７を操作してからの経過時間、つまり、意思検出部１０２でのカウントが第１有効時間以上の場合にタイムアウトと判定する構成としてもよい。
【０１１８】
この場合、第１有効時間としては、ドライバがウィンカレバー７を操作してから安全確認を終了するまでにかかる時間程度よりも長い時間を設定すればよい。より好ましくは、安全確認が遅いドライバによる安全確認動作の実施中にタイムアウトと判定してしまわないように、安全確認が遅いドライバを基準として第１有効時間を長めに設定すればよい。例えば第１有効時間は１０秒程度とすればよい。
【０１１９】
（変形例６）
また、動作判定部１０３で安全確認動作を実施したか否か判定をするタイミングは、実施形態１，変形例１で説明したタイミングに必ずしも限らない。
【０１２０】
（変形例７）
実施形態１，２では、促進処理部１０７が、動作判定部１０３で安全確認動作を実施していないと判定したこともとに、安全確認動作をドライバに促す報知を行わせる構成を示したが、必ずしもこれに限らない。例えば、動作判定部１０３で安全確認動作の判定を開始する前に、安全確認動作をドライバに促す報知を行わせる構成としてもよい。
【０１２１】
なお、本発明は、上述した実施形態及び変形例に限定されるものではなく、請求項に示した範囲で種々の変更が可能であり、異なる実施形態及び変形例にそれぞれ開示された技術的手段を適宜組み合わせて得られる実施形態についても本発明の技術的範囲に含まれる。
【符号の説明】
【０１２２】
１  運転支援システム、９，９ａ  運転支援ＥＣＵ（運転支援装置）、７  ウィンカレバー（操作部材）、４０  周辺監視ＥＣＵ、５０  ＨＣＵ、５８  操作デバイス（操作部材）、６０  車両制御ＥＣＵ、９０  ＬＣＡ機能部、１００  状態遷移部、１０１  ＬＣ意思判定部、１０２  意思検出部、１０３  動作判定部、１０４  タイムアウト判定部、１０５  周辺状況判定部、１０６  許可部、１０７  促進処理部、１０８  車線変更部、１０９  完了後処理部、１１０  シーン判定部、１１１  提案処理部
【図１】
2020033013.tif 000003
【図２】
2020033013.tif 000004
【図３】
2020033013.tif 000005
【図４】
2020033013.tif 000006
【図５】
2020033013.tif 000007
【図６】
2020033013.tif 000008
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
車両で用いられ、自動で前記車両の車線変更を行わせる車線変更部（１０８）を備える運転支援装置であって、
前記車両のドライバの状態を検出するのに用いるセンサの情報をもとに、前記ドライバが車線変更時における安全確認動作を実施したか否か判定する動作判定部（１０３）と、
前記車線変更部による自動での車線変更を許可する許可部（１０６）と、
前記安全確認動作を前記ドライバに促す報知を行わせる促進処理部（１０７）とを備え、
前記促進処理部は、前記動作判定部で前記安全確認動作を実施したか否か判定するよりも前に、前記安全確認動作を前記ドライバに促す報知を行わせ、
前記許可部は、前記動作判定部で前記ドライバが車線変更時における安全確認動作を実施していないと判定している場合には、前記車線変更部による自動での車線変更を許可しない運転支援装置。
【請求項２】
請求項１において、
前記促進処理部は、前記動作判定部で前記安全確認動作を実施したか否か判定するよりも前であって、且つ、前回の車線変更が完了した後に、前記安全確認動作を前記ドライバに促す報知を行わせる運転支援装置。
【請求項３】
請求項１又は２において、
前記ドライバによる前記車両の所定の操作部材（７、５８）への操作入力をもとに、前記車両の車線変更を前記ドライバが許可したことを検出する意思検出部（１０２）をさらに備え、
前記許可部は、前記意思検出部で前記車両の車線変更をドライバが許可していることを検出していない場合には、前記車線変更部による自動での車線変更を許可しない運転支援装置。
【請求項４】
請求項３において、
前記意思検出部は、前記ドライバによる前記操作部材（７）への操作入力が行われてからの経過時間若しくは前記車両の走行距離を計測した計測値が規定値に達した場合に、前記車両の車線変更をドライバが許可したことを検出するものであり、
前記許可部は、前記計測値が前記規定値に達した場合であっても、前記動作判定部で前記ドライバが車線変更時における安全確認動作を実施していないと判定している場合には、前記車線変更部による自動での車線変更を許可しない運転支援装置。
【請求項５】
請求項４において、
前記動作判定部は、前記ドライバによる前記操作部材（７）への操作入力が行われた後に、前記安全確認動作を実施したか否か判定する運転支援装置。
【手続補正２】
【補正対象書類名】明細書
【補正対象項目名】０００８
【補正方法】変更
【補正の内容】
【０００８】
上記目的を達成するために、本発明の運転支援装置は、車両で用いられ、自動で車両の車線変更を行わせる車線変更部（１０８）を備える運転支援装置であって、車両のドライバの状態を検出するのに用いるセンサの情報をもとに、ドライバが車線変更時における安全確認動作を実施したか否か判定する動作判定部（１０３）と、車線変更部による自動での車線変更を許可する許可部（１０６）と、安全確認動作をドライバに促す報知を行わせる促進処理部（１０７）とを備え、促進処理部は、動作判定部で安全確認動作を実施したか否か判定するよりも前に、安全確認動作をドライバに促す報知を行わせ、許可部は、動作判定部でドライバが車線変更時における安全確認動作を実施していないと判定している場合には、車線変更部による自動での車線変更を許可しない。